(57)【要約】【課題】盗難防止効果を向上でき、破損が発生しにくい強化光ディスクケースを提供する。【解決手段】蓋３１と、密閉可能に蓋３１と繋がって合わされるように一体成型され、中央に少なくとも一枚の光ディスクを収納可能な円盤座を有する本体３２とを含む。陥凹面３１１、陥凹面３２１は、Ｖ型を呈し、裏向きの一側に弧形面を有する。蓋３１と本体３２の上端３０１と下端３０２と中間区域３４は、それぞれ異なる色を呈する。中間区域３４は、ＰＥ膜と広告紙の貼り付けに用いられる。光ディスクは、ＣＤ、ＶＣＤ、ＤＶＤなどのいずれか一つである。弧形面を設計することにより、ケース内の光ディスクが弧形面に遮られて落下しにくくなる。蓋３１と本体３２の上端３０１と下端３０２の設計により盗難を防ぎ、傷及び落下防止などの効果を向上する。【選択図】図２
0003132633.tif 000002
【実用新案登録請求の範囲】
【請求項１】
蓋と、
密閉可能に蓋と繋がって合わされるように一体成型され、中央に少なくとも一枚の光ディスクを収納可能な円盤座を有する本体と、
を備えることを特徴とする強化光ディスクケース。
【請求項２】
陥凹面は、Ｖ型を呈し、裏向きの一側に弧形面を有することを特徴とする請求項１に記載の強化光ディスクケース。
【請求項３】
蓋と本体の上下端と中間区域は、それぞれ異なる色を呈することを特徴とする請求項１に記載の強化光ディスクケース。
【請求項４】
中間区域は、ＰＥ膜と広告紙の貼り付けに用いられることを特徴とする請求項３に記載の強化光ディスクケース。
【請求項５】
光ディスクは、ＣＤ、ＶＣＤ、ＤＶＤを含む光ディスクのいずれか一つであることを特徴とする請求項１に記載の強化光ディスクケース。
【考案の詳細な説明】
【技術分野】
【０００１】
本考案は、強化光ディスクケース、詳しく言えば、蓋と本体の上下端面の設計により盗難を防ぎ、傷及び落下防止などの効果を高めることを可能にする強化光ディスクケースに関するものである。
【背景技術】
【０００２】
科学技術の進歩に伴い、生活に役立つ様々な品物の利便性が高まるにつれ、レジャーへの関心が高まり、その種類も多様化されつつある。例えば、ビデオを見ること、コンピューターゲームをやることや音楽を聴くことなどもこうしたレジャーに含まれる。
上述のレジャーに欠かせないものは、光ディスクのような製品である。市販されているこのような製品の種類は非常に多い。また、光ディスクは、軽量で薄く、記憶容量が大きいという長所があるため、体積が小さいというメリットを持つ反面、小さいがゆえに盗難を惹起させ、店の損失を招いてしまう。
【０００３】
図１に示したのは、周知の光ディスクケースの外観を示す斜視図である。光ディスクケース１０は、蓋部１１、底部１２及び収納室１３から構成される。一般の光ディスクケース１０は、プラスチック材質から形成される。プラスチック材質は、良好な弾性効果があるが、外力から圧迫されてケースを変形させ、ケース内の光ディスク２０を損壊してしまうという欠点がある。
【０００４】
また、レンタルビデオ店またはコンピューターショップにおいて、窃盗者がしばしば使うのは、外力によりケースを圧迫し、蓋部１１と底部１２の間に隙間１４を生じさせ、光ディスク２０を抜き出すという手である。光ディスク２０が窃盗されれば、それは店の損失になる。また、光ディスクは薄くて軽いため、万引きされても、発見することは困難である。セキュリティセンサーは、盗難防止用のコードが張ってある光ディスクケースに対してのみ反応し、光ディスクそのものに対して反応するわけではないため、このような盗難を食い止めることができない。
本考案者は、上述の現状に鑑みながら、光ディスクケースに盗難防止の機能を提供することにより、周知の技術の問題点の解決を図る。
【考案の開示】
【考案が解決しようとする課題】
【０００５】
本考案の主な目的は、蓋と本体の上下端面の設計により、光ディスクが盗難されにくくなることを実現させ、盗難防止効果を高め、損失を減少させることを可能にする強化光ディスクケースを提供することである。
本考案のもう一つの目的は、ケースを強化する特性を与えることにより、圧迫を受けても、光ディスクの破損を発生しないことを可能にする強化光ディスクケースを提供することである。
本考案のまたもう一つの目的は、独特なおかつ強い印象を与える標示設計により、識別効果を達成することを可能にする強化光ディスクケースを提供することである。
【課題を解決するための手段】
【０００６】
上述の目的を達成するために、本考案による強化光ディスクケースは、蓋と、密閉可能なように蓋と繋がって合わされるように一体成型され、その中央に少なくとも一枚の光ディスクを収納可能な円盤座を有する本体とを含む。
その特徴は、蓋と本体の上下端面が非平坦面を呈し、少なくとも二組の円盤座に対応する陥凹面を有することである。
【考案を実施するための最良の形態】
【０００７】
図１から図３に示すように、本考案の一実施例による強化光ディスクケースは、蓋３１と本体３２とを含み、本体３２は密閉可能なように蓋３１と繋がって合わされるように一体成型され、その中央に少なくとも一枚の光ディスクを収納可能な円盤座３３を有する。光ディスクは、ＣＤ、ＶＣＤまたはＤＶＤなどのいずれか一つである。
本実施例の特徴は、蓋３１と本体３２の上端面３０１、下端面３０２が非平坦面を呈し、少なくとも二組の円盤座３３に対応する陥凹面３１１、陥凹面３２１を有することである。陥凹面３１１、陥凹面３２１は、Ｖ型を呈し、裏向きの一側に弧形面を有する。弧形面を設計することにより、ケース内の光ディスクが弧形面に遮られて落下しにくくなるという目的を達成する。
【０００８】
また、蓋３１と本体３２の上端面３０１と下端面３０２と中間区域３４はそれぞれ異なる色を表示する。異なる色の設計により、ケースに独特なおかつ強い印象を与える標示を持たせ、識別効果を達成することが可能である。
また、（図５に示す通り）ＰＥ膜または広告紙４０を貼り付けるために、中間区域３４は上端面３０１、下端面３０２より厚さ（ｔ）を少し低くするように設けられる。
【０００９】
図４に示したのは、本実施例による光ディスクケース３０の側面を示す模式図である。本実施例による光ディスクケース３０が外力から圧迫される際、蓋３１と本体３２の上端面３０１、下端面３０２の強化設計のため、光ディスクケース３０が開いてしまい、ケース内の光ディスクを抜き出されたり、落下させてしまうといった事態が起こりにくい。これにより、光ディスクの窃盗を確実に防止可能な効果を達成することが可能である。
【００１０】
図６に示したのは、本実施例の使用状態を示す側面図である。本実施例の特殊な二色ケースの設計は、独特なだけでなく、消費者に名称を容易に識別させ、欲しい光ディスクを迅速に見つけ出させることが可能である。
周知の技術と比べて、本実施例の長所は、次の通りである。
一、本実施例は、窃盗を防止可能であるため、窃盗防止効果が高く、盗難による損失を減少させるという特性を有する。
【００１１】
二、本実施例は、ケースの硬度を強化することにより、ケースの変形を抑制し、光ディスクに傷を付けたり、光ディスクを落下させたりすることを防止するという特性を有する。
三、本実施例の二色ケースの設計は、従来の単色ケースの設計と比べて、より明瞭な識別機能を有する。
四、本実施例の光ディスクの強化設計は、本来のサイズを変えないことを前提にするため、コストを増加させることなく、経済的な効果を達成するという特性を有する。
【００１２】
上述した通り、本考案により掲示された構造は今まで考案されなかっただけでなく、効果を確実に増進し、産業上の利用性を明らかにすることが可能であるため、実用新案登録請求の条件を満たすと考えられる。
また、上述した図面と説明は本考案の好ましい実施例の一つに過ぎないため、本考案の精神を逸脱しない限り、効果が同等な修正と変換を行うことは本考案の請求範囲に属するべきである。
【図面の簡単な説明】
【００１３】
【図１】従来の光ディスクケースの外観を示す斜視図である。
【図２】本考案の一実施例による強化光ディスクケースの外観を示す斜視図である。
【図３】本考案の一実施例による強化光ディスクケースの開いた状態を示す斜視図である。
【図４】本考案の一実施例による強化光ディスクケースの側辺を示す模式図である。
【図５】本考案の一実施例による強化光ディスクケースの使用状態を示す斜視図である。
【図６】本考案の一実施例による強化光ディスクケースの使用状態を示す側面図である。
【符号の説明】
【００１４】
１０：光ディスクケース、１１：蓋、１２：底部、１３：収容室、１４：隙間、２０：光ディスク、３０：光ディスクケース、３１：蓋、３２：本体、３３：円盤座、３４：中間区域、４０：広告紙、３０１：上端、３０２：下端、３１１：陥凹面、３２１：陥凹面
【図１】
0003132633.tif 000003
【図２】
0003132633.tif 000004
【図３】
0003132633.tif 000005
【図４】
0003132633.tif 000006
【図５】
0003132633.tif 000007
【図６】
0003132633.tif 000008